(57)【要約】【課題】本発明は、食卓上を容易に移動しない食器載置面を有する食事用エプロンを提供すること。【解決手段】使用者に対して食事用エプロンを取り付けるための装着部１１０と、使用者を汚れから守るための保護部１２０と、食卓１４０上に配置するための食器載置面１３０と、この食器載置面が前記食卓上を容易に移動しないための滑り止め面と、を備えるように食事用エプロンを構成する。【選択図】図１
2010031452.tif 000002
【特許請求の範囲】
【請求項１】
使用者に対して食事用エプロンを取り付けるための装着部と、
使用者を汚れから守るための保護部と、
食卓上に配置するための食器載置面と、
この食器載置面が前記食卓上を容易に移動しないための滑り止め面が、前記食器載置面の裏面に設けられていることを特徴とする食事用エプロン。
【請求項２】
前記滑り止め面が発泡樹脂により形成されていることを特徴とする請求項１に記載の食事用エプロン。
【請求項３】
前記発泡樹脂がアクリル発泡樹脂又はウレタン発泡樹脂により形成されていることを特徴とする請求項２に記載の食事用エプロン。
【請求項４】
前記食器載置面と前記発泡樹脂との境界面とに撥水加工が施されていることを特徴とする請求項２又は請求項３に記載の食事用エプロン。
【請求項５】
前記食器載置面及び前記保護部が撥水加工された生地より形成されていることを特徴とする請求項１乃至請求項４のいずれかに記載の食事用エプロン。
【請求項６】
前記生地が細い糸を密度濃く織ってあると共に、縦糸と横糸の数が略同数程度に織ってあることを特徴とする請求項５に記載の食事用エプロン。
【請求項７】
前記生地がナイロン織、ポリエステル織又は綿織のいずれかの一つの織により成る平織若しくは編物より成ることを特徴とする請求項５又は請求項６のいずれかに記載の食事用エプロン。
【請求項８】
前記食器載置面と前記保護部との境界部若しくはその近傍に凹状収容部が形成されていることを特徴とする請求項１乃至請求項７のいずれかに記載の食事用エプロン。
【請求項９】
前記凹状収容部が、前記保護部の前記境界部若しくはその近傍側縁に設けられた収縮部によって形成されていることを特徴とする請求項８に記載の食事用エプロン。
【請求項１０】
前記収縮部が弾性体により成ることを特徴とする請求項９に記載の食事用エプロン。
【請求項１１】
前記食器載置面が前記保護面より幅広に形成されていることを特徴とする請求項１乃至請求項１０のいずれかに記載の食事用エプロン。
【請求項１２】
前記食器載置面の周縁部には、この食器載置面の内側と外側を区別するバリア部が設けられていることを特徴とする請求項１乃至請求項１１に記載の食事用エプロン。
【請求項１３】
前記バリア部が、前記食器載置面の周縁部に設けられたパイピング部により構成されていることを特徴とする請求項１２に記載の食事用エプロン。
【請求項１４】
前記バリア部は、前記食器載置面の周縁部が前記パイピング部により起立させられて形成されることを特徴とする請求項１３に記載の食事用エプロン。
【請求項１５】
前記装着部には、使用者の首周りに対応した略円形の開口部が設けられていると共に、この開口部の使用者側には伸縮性のあるテープ状部材が配置されていることを特徴とする請求項１乃至請求項１４のいずれかに記載の食事用エプロン。
【請求項１６】
前記食器載置面の表面に、食器が載置面上を容易に移動しないための滑り止め面が設けられていることを特徴とする請求項１乃至請求項１５のいずれかに記載の食事用エプロン。
【請求項１７】
前記食器載置面の表面及び／又は裏面の少なくと一部に凸状の突起部が複数配置されていることを特徴とする請求項１乃至請求項１６のいずれかに記載の食事用エプロン。
【請求項１８】
前記突起部がアクリル樹脂又はウレタン樹脂により形成されていることを特徴とする請求項１７に記載の食事用エプロン。
【発明の詳細な説明】
【技術分野】
【０００１】
本発明は、乳幼児や要介護者等が食事をする際に、自己の衣服等を汚れ等から守るための食事用エプロンに関するものである。
【背景技術】
【０００２】
従来の食事用エプロン、特にテーブルクロス機能付き食事用エプロン１０は、図１３に示すように構成されていた。すなわち、テーブルクロス機能付き食事用エプロン１０は、使用者３０の首に紐等によって取り付けると、この食事用エプロン１０のエプロン部１１が、使用者３０の前面に被さるように配置されることになる。
そして、このエプロン部１１に続いて設けられているテーブルクロス部１２は、テーブル２０の表面に図１３に示すように配置されることになる。
この状態で、前記テーブルクロス部１２の上に食器等が置かれたトレイ（図示せず）が載置され、使用者３０は、トレイ上の食器内に収容された食物を食べることになる。
このように、食事用エプロン１０を用いることで、使用者３０が誤って食物をこぼしてもテーブルが汚れずに済むテーブルクロスの機能を発揮することになる。また、使用者３０が食事中に食物を自己の服の上に落としても、使用者３０の前面には、エプロン部１１が設けられているため、このエプロン部１１によって使用者３０の服が汚れないというエプロンとしての機能も発揮することになる。
【発明の概要】
【発明が解決しようとする課題】
【０００３】
しかしながら、このようなテーブルクロス機能付き食事用エプロン１０は、全体として１枚の生地により構成されているため、使用者３０が食事中に動いたりすると、前記エプロン部１１とテーブルクロス部１２も動き、テーブルクロス部１２が前記トレイを載せた状態で、テーブル２０上を滑り、食器内の食物等がこぼれてしまうという問題があった。
特に液状の食物をこぼした場合、こぼれた食物が前記食事用エプロン１０の脇から外へこぼれ落ち易いという問題もあった。
また、使用者３０が動かない場合でも、この食事用エプロン１０上に、比較的重い食物を落とした場合は、その重さによって、食事用エプロン１０の生地が撓り、前記トレイを載せた食事用エプロン１０のテーブルクロス部１２が、テーブル２０上を滑り、食器内の食物等がこぼれてしまうという問題があった。
【０００４】
本発明は、以上の点に鑑み、食卓上を容易に移動しない食器載置面を有する食事用エプロンを提供することを目的とする。
【課題を解決するための手段】
【０００５】
前記目的は、請求項１の発明によれば、使用者に対して食事用エプロンを取り付けるための装着部と、使用者を汚れから守るための保護部と、食卓上に配置するための食器載置面と、この食器載置面が前記食卓上を容易に移動しないための滑り止め面が、前記食器載置面の裏面に設けられている食事用エプロンにより、達成される。
前記構成によれば、前記食事用エプロンには、前記食器載置面と、前記食卓上を容易に移動しないための滑り止め面が前記食器載置面の裏面に設けられている備えられているため、この食器載置面が前記食卓上を滑るのを未然に防止することができる。
【０００６】
好ましくは、請求項２の発明によれば、請求項１の構成において、前記滑り止め面が発泡樹脂により形成されている食事用エプロンである。
前記構成によれば、前記滑り止め面が発泡樹脂により形成されているので、この発泡樹脂の弾力性により前記滑り止め面の摩擦力が大となる。
特に、前記食器載置面の裏面に前記滑り止め面が設けられているので、この食器載置面上に載置される食器等の重みで，前記発泡樹脂が前記食卓上に押し付けられるので、より摩擦力が大きくなり、前記食器載置面の前記食卓上の滑りをさらに有効に防止することができる。
一方、前記食器載置面上に食器等が載置されない場合は、前記発泡樹脂が前記食卓上に押し付けられないので、摩擦力が比較的小さくなり、この食器載置面が食卓上をある程度は移動可能な状態となる。したがって、この食器載置面が食卓上に張り付いて使用者の動作を拘束することはなくなる。
また、前記発泡樹脂が変形すると、クッション効果で食器等の破損も未然に防ぐことができる。
【０００７】
好ましくは、請求項３の発明によれば、請求項２の構成において、前記発泡樹脂がアクリル発泡樹脂又はウレタン発泡樹脂により形成されている食事用エプロンである。
前記構成によれば、前記発泡樹脂がアクリル発泡樹脂又はウレタン発泡樹脂により形成されているので、このアクリル発泡樹脂又はウレタン発泡樹脂の変形によって摩擦力を有効に生じさせることができる。
【０００８】
好ましくは、請求項４の発明によれば、請求項２又は請求項３の構成において、前記食器載置面と前記発泡樹脂との境界面とに撥水加工が施されている食事用エプロンである。
前記構成によれば、前記食器載置面と前記発泡樹脂との境界面とに撥水加工が施されているので、この食器載置面上にこぼれた例えば液状の食物等が食卓上にこぼれるを防ぐとともに、この生地に前記発泡樹脂が漏れ出すのを防ぐことができる。
【０００９】
好ましくは、請求項５の発明によれば、請求項１乃至請求項４のいずれかの構成において、前記食器載置面及び前記保護部が撥水加工された生地より形成されている食事用エプロンである。
前記構成によれば、前記食器載置面及び前記保護部が撥水加工された生地より形成されているので、これら食器載置面や保護部に例えば液状の食物等がこぼれても、液状の食物等が食事用エプロンの生地に染み込むことがない。
【００１０】
好ましくは、請求項６の発明によれば、請求項５の構成において、前記生地が細い糸を密度濃く織ってあると共に、縦糸と横糸の数が略同数程度に織ってある食事用エプロンである。
前記構成によれば、前記生地が細い糸を密度濃く織ってあるので、使用者に対して柔らかい手触りをもたらすようになっている。また、前記生地の縦糸と横糸の数が略同数程度に織ってあるので、例えば織り目の間から発泡樹脂がこの生地側に染み込むのを防ぐことができる。
【００１１】
好ましくは、請求項７の発明によれば、請求項５又は請求項６のいずれかの構成において、前記生地がナイロン織、ポリエステル織又は綿織のいずれかの一つの織により成る平織若しくは編物より成る食事用エプロンである。
前記構成によれば、前記生地がナイロン織、ポリエステル織又は綿織のいずれかの一つの織により成る平織若しくは編物により前記生地を形成することができる。
【００１２】
好ましくは、請求項８の発明によれば、請求項１乃至請求項７のいずれかの構成において、前記食器載置面と前記保護部との境界部若しくはその近傍に凹状収容部が形成されている食事用エプロンである。
前記構成によれば、前記食器載置面と前記保護部との境界部若しくはその近傍に凹状収容部が形成されているので、使用者の食べこぼし等を食事用エプロンの外側に落下させることなく、この凹状収容部内に保持させることができる。
【００１３】
好ましくは、請求項９の発明によれば、請求項８の構成において、前記凹状収容部が、前記保護部の前記境界部若しくはその近傍側縁に設けられた収縮部によって形成されている食事用エプロンである。
前記構成によれば、前記凹状収容部が、前記保護部の前記境界部若しくはその近傍側縁に設けられた収縮部によって形成されているので、この凹状収容部を容易に形成することができる。
【００１４】
好ましくは、請求項１０の発明によれば、請求項９の構成において、前記収縮部が弾性体により成ることを特徴とする請求項９に記載の食事用エプロン。
前記構成によれば、前記収縮部が弾性体により成るので、この収縮部を容易に形成することができる。
【００１５】
好ましくは、請求項１１の発明によれば、請求項１乃至請求項１０のいずれかの構成において、前記食器載置面が前記保護面より幅広に形成されている食事用エプロンである。
前記構成によれば、前記食器載置面が前記保護面より幅広に形成されているので、この食器載置面に大きな例えばトレー等を載置することができる。また、前記食器載置面の裏面に滑り止め面が設けられているので、この食器載置面の大きさに比例して滑り止め効果がより大になる。
【００１６】
好ましくは、請求項１２の発明によれば、請求項１乃至請求項１１のいずれかの構成において、前記食器載置面の周縁部には、この食器載置面の内側と外側を区別するバリア部が設けられている食事用エプロンである。
前記構成によれば、前記食器載置面の周縁部には、この食器載置面の内側と外側を区別するバリア部が設けられているので、使用者が例えば液状の食物等をこぼした場合にも、液状の食物等がこのバリア部の内側に止まることになる。したがって、液状の食物等が食事用エプロンの外側に出るのを防止することができる。
【００１７】
好ましくは、請求項１３の発明によれば、請求項１２の構成において、前記バリア部が、前記食器載置面の周縁部に設けられたパイピング部により構成されている食事用エプロンである。
前記構成によれば、前記食器載置面の周縁部にパイピング部を設けることにより前記バリア部が形成されるので、このバリア部を容易に形成することができる。
【００１８】
好ましくは、請求項１４の発明によれば、前記バリア部は、前記食器載置面の周縁部が前記パイピング部により起立させられて形成されることを特徴とする請求項１３に記載の食事用エプロン。
前記構成によれば、前記バリア部は、前記食器載置面の周縁部が前記パイピング部により起立させられて形成されるので、使用者が例えば液状の食物等を大量に、こぼした場合にも、液状の食物等がこのバリア部の内側に止まることになる。したがって、液状の食物等が食事用エプロンの外側に出るのをより防止することができる。
【００１９】
好ましくは、請求項１５の発明によれば、請求項１乃至請求項１４のいずれかの構成において、前記装着部には、使用者の首周りに対応した略円形の開口部が設けられていると共に、この開口部の使用者側には伸縮性のあるテープ状部材が配置されている食事用エプロンである。
前記構成によれば、前記装着部には、使用者の首周りに対応した略円形の開口部が設けられていると共に、この開口部の使用者側には伸縮性のあるテープ状部材が配置されているので、使用者各人の首周りの大きさに応じて適切な前記開口部を形成することができる。
【００２０】
好ましくは、請求項１６の発明によれば、請求項１乃至請求項１５のいずれかの構成において、前記食器載置面の表面に、食器が載置面上を容易に移動しないための滑り止め面が設けられていることを特徴とする食事用エプロンである。
請求項１６の構成によれば、前記食器載置面の表面に前記滑り止め面が設けられているので、前記食器が食器載置面から滑り落ちることを未然に防ぐことができる。また、使用者が例えばスプーン等の食具を持つ手と逆の手で、食器を保持することができない場合において、スプーン等の動きにより食器が動いてしまうことを防ぐこともできるので、使用者は、容易に食品を食べることができる。
【００２１】
好ましくは、請求項１７の発明によれば、請求項１乃至請求項１６のいずれかの構成において、前記食器載置面の表面及び／又は裏面の少なくと一部に凸状の突起部が複数配置されていることを特徴とする食事用エプロンである。
請求項１７の構成によれば、前記食器載置面の表面及び／又は裏面の少なくと一部に凸状の突起部が複数配置されているので、食器等を載置した場合に食器等が食器載置面上で滑るのを未然に防止することができる。また、この食器載置面の裏面に突起部を配置した場合は、食器載置面が前記食卓上を滑るのをより有効に防止することができる。
さらに、前記突起部を前記食器載置面の一部、すなわち実際に食器等を載置する部分にのみ配置した場合は、より無駄なく効率よく突起部を配置できることになる。
【００２２】
好ましくは、請求項１８の発明によれば、請求項１７の構成において、前記突起部がアクリル樹脂又はウレタン樹脂により形成されていることを特徴とする食事用エプロンである。
【発明の効果】
【００２３】
以上述べたように、本発明によれば、食卓上を容易に移動しない食器載置面を有する食事用エプロンを提供することができる。
【図面の簡単な説明】
【００２４】
【図１】本発明の第１の実施の形態に係るテーブルクロス機能付き食事用エプロンを示す概略図である。
【図２】図１のコールゴム部ベース部の蓋を開けた状態を示す概略斜視図である。
【図３】図１の食事用エプロンを使用者が装着している状態を示す概略斜視図である。
【図４】図１のコールゴム部の代わりにタック部を設けた状態を示す概略図である。
【図５】本発明の第２の実施の形態に係るテーブルクロス機能付き食事用エプロンを示す概略図である。
【図６】本発明の第２の実施の形態に係るテーブルクロス機能付き食事用エプロンを示す概略図である。
【図７】本発明の第３の実施の形態に係るテーブルクロス機能付き食事用エプロンを示す概略図である。
【図８】図７のテーブルクロス部の概略部分拡大断面図である。
【図９】図７の食事用エプロンの使用状態を示す概略図である。
【図１０】図７の食事用エプロンの第１の変形例の要部を示す概略図である。
【図１１】図７の食事用エプロンの第２の変形例を示す概略図である。
【図１２】図７の食事用エプロンの第３の変形例を示す概略図である。
【図１３】従来のテーブルクロス機能付き食事用エプロンを示す概略図である。
【発明を実施するための形態】
【００２５】
以下、この発明の好適な実施の形態を添付図面を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
（第１の実施の形態）
図１は、本発明の第１の実施の形態に係るテーブルクロス機能付き食事用エプロン１００（以下、「食事用エプロン」と称す。）を示す図である。
図１に示すように、食事用エプロン１００の上端部には、装着部１１０が設けられている。この装着部１１０の略中央には、使用者である例えば乳幼児の首周りの大きさに相当する開口部である略円形の穴部が設けられている。
この穴部は、その上部が開閉可能となっており、乳幼児の首周りに、この食事用エプロン１００を装着する際に、この上部を開状態にして、この穴部内に乳幼児の首を入れることになる。
【００２６】
また、この穴部の乳幼児の首周りに当接する部分には、伸縮性のあるテープ状部材１１１が配置がされている。このテープ状部材１１１は、例えばスパンデックスやオペロンが用いられる。このうち、例えばスパンデックスは、合成繊維の一種で、ポリウレタンの含有量で弾性力を調整するものである。本実施の形態では、例えば１５％のポリウレタン含有のスパンデックスを用いている。なお、同様のテープ状部材は、天然ゴムで製造することもできる。
したがって、このテープ状部材１１１は、伸縮するため乳幼児の首周りに正確に配置することができるようになっている。
【００２７】
さらに、装着部１１０の上端部には、相互に着脱可能な固定具であるマジックテープ（登録商標）１１２が２つ設けられている。これらのマジックテープ１１２，１１２は、例えば右側の四角部分のマジックテープ１１２を左側の斜線部分のマジックテープ１１２に押し付けると、固定状態になるようになっている。
逆に、固定状態になっているマジックテープ１１２，１１２のうち、一方、例えば右側のマジックテープ１１２を保持し、左側のマジックテープ１１２から離反する方向に引っ張ると、両者のマジックテープ１１２，１１２は離れるようになっている。
【００２８】
このようなマジックテープ１１２，１１２を用いて装着部１１０を乳幼児の首周りに配置し固定すると共に、上述のテープ状部材１１１の伸縮性を利用して、装着部１１０を乳幼児の首周りに正確に配置されるようになっている。
このように構成される装着部１１０の下方には、保護部であるエプロン部１２０が設けられている。このエプロン部１２０は、装着部１１０よりもやや幅広く形成されており、乳幼児がこの食事用エプロン１００を着用した際に、乳幼児の前面に配置される部分である。したがって、このエプロン部１２０は、乳幼児が食物等を食べこぼした際に、このこぼれた食物等によって乳幼児の着衣が汚れるのを防ぐ役割を果たす部分である。
【００２９】
具体的には、このエプロン部１２０は、上述の装着部１１０と同じポリエステル織という平織で構成されている、ポリエステル生地で形成されている。ただし、このポリエステル生地の代わりに、ナイロン織によるナイロン生地、綿織による綿生地、若しくはアクリル織によるアクリル生地等を用いることができる。また、これらの平織りの代わりに編物で形成することもできる。
以下、一例としてポリエステル織を例に挙げて説明する。このポリエステル生地は、ポリエステル繊維を７２本（７２フィラメント）使用して構成される糸（糸の太さ７５デニール）を２本（双糸）よって形成されるものを、高密度で例えば平織りに織って構成されている。
【００３０】
これに対して、従来はポリエステル繊維を３６本（３６フラメント）で１本の糸とし、その太さを７５デニールとしている。したがって、本実施の形態で用いているポリエステル繊維は、従来用いられる繊維より細く、高密度に構成されているので、この繊維で成る糸で織られているポリエステル生地は、使用者に対し柔らかな感触を与えることになる。
さらに、本実施の形態の織り方は、縦糸と横糸を略同数にして織るという、いわゆる、シフォン織で織っている。このように織ることで、このエプロン部１２０及び装着部１０の表面を触る乳幼児に、さらに柔らかな感触を与えることができ、乳幼児に対して不快感を与えるのを防止することができる。
【００３１】
ところで、前記エプロン部には、図１に示すように、弾性体であるコールゴム部１２１が、その両側に設けられている。このコールゴム部１２１が設けられているのは、エプロン部１２０の下方に連続して設けられている食器載置面であるテーブルクロス部１３０との境界部近傍側縁である。このコールゴム１２１は、例えば１本の天然ゴム又は合成ゴム被覆したものを指す。すなわち、複数、例えば３つの天然ゴムを被覆して１本のゴムとした場合は、３コールと表現する。
【００３２】
このコールゴム部１２１は、具体的には図２に示すように配置されている。図２は、コールゴム部１２１がコールゴムの収縮力で収縮し、これによりエプロン部１２０の生地も撓んでいる状態を示している。このようにエプロン部１２０の両端部が撓むと、図３において示されているように、エプロン部１２０に凹状収容部である袋部１２２が形成されることになる。この袋部１２２には、乳幼児の食べこぼし等が収容され、食べこぼし等は、食事用エプロン１００の外側に落下することを未然に防ぐことができるようになっている。
本実施の形態では、コールゴム部１２１を用いたが、これに限らず図４に示すようなタックを複数個設けタック部（収縮部）を形成しても同様の袋部１２２を形成することができる。
【００３３】
このようにエプロン部１２０には、乳幼児の食べこぼした食物等が当たったり、収容されたりするため、その表面には、撥水加工である強撥水加工が施されている。この強撥水加工は、アクリル樹脂撥水剤を塗布することにより、ＪＩＳＬＩ０９２における撥水試験（スプレー法）において５級であり、５０時間の洗濯後でも３級を維持できるよう処理される。
【００３４】
このような強撥水加工は、エプロン部１２０の表面のみならず上述の装着部１１０の表面にも同様に付することもできる。
装着部１１０及びエプロン部１２０は、上述のように構成されているが、このエプロン部１２０の図１における下方には、テーブルクロス部１３０が設けられている。このテーブルクロス部１３０は、図３に示すように、食卓である例えば食器等を置くテーブル１４０の上に配置される。そして、このテーブルクロス部１３０の上に食器等を配置した例えばトレイが載置されることになる。
このように配置されるテーブルクロス部１３０は、装着部１１０やエプロン部１２０と同様の生地、例えばポリエステル生地が用いられている。そして、このポリエステル生地の表面には、エプロン部１２０と同様の強撥水加工が施されている。
【００３５】
一方、このポリエステル生地の裏面側には、上述の表面側と比べ弱い撥水加工が施されることになる。この撥水加工は、上述のアクリル樹脂撥水剤の濃度を低くして、上述と同様の撥水加工を行う。これは、この裏面側の撥水加工が、後述のようにアクリル樹脂がしみ出さない範囲で行えば十分なため、弱く撥水加工を行うことになる。このように、弱く撥水加工を行うことにより、製品のコストダウンを図ることができる。
【００３６】
そして、このように弱く撥水加工が施されたポリエステル生地に対して発泡樹脂であるアクリル発泡が形成されることになる。このアクリル発泡は、ポリエステル生地の上述の弱い撥水加工が施された面の上からアクリル樹脂を塗布し、図示しない発泡装置で発泡させるものである。
このようにアクリル発泡層をテーブルクロス部１３０の裏面、すなわちテーブル１４０に接触する面に形成することで、滑り止めの機能を発揮することになる。すなわち、アクリル発泡層は、スポンジ状に形成されるため、摩擦力を生じ易い構造となっているため、テーブル１４０の表面と接触するとテーブルクロス部１３０が滑り難くなる。
【００３７】
特に、テーブルクロス部１３０の表面側に食器等を置いたトレイ等を載置した場合は、そのトレイ等の重さでアクリル発泡層が変形し、さらに摩擦力が大となるようになっている。
ところで、このアクリル発泡層と隣接して前記弱い撥水層を設けると前記ポリエステル生地にアクリル樹脂がしみ出すことがなく、ポリエステル生地の上述の柔らかさが妨げられることなく保持されることになる。
また、本実施の形態では、アクリル樹脂を用いたが、これに限らずウレタン樹脂をポリエステル生地に塗布して、発泡処理してもよい。
【００３８】
また、本実施の形態に係る食事用エプロン１００には、図１に示すように、その周縁部にパイピング部１５０が設けられている。このパイピング部１５０は、図１の装着部１１０におけるテープ状部材１１１との境目から、エプロン部１２０を介してテーブルクロス部１３０にわたって、食事用エプロン１００に周縁部を包むように配置されている。
このパイピング部１５０は、具体的にはポリエステル生地やポリエステルと綿との混合生地で形成されているが、本実施の形態においては、ポリエステル６５％、綿３５％の混合生地を用いている。
【００３９】
このような生地を、図１の食事用エプロン１００の周縁部である生地の端に装着することでパイピング部１５０が形成される。すなわち、このパイピング部１４０は、先ず、食事用エプロン１００の生地の「ほつれ」を防止するために設けられている。そして、本実施の形態においては、この「ほつれ」防止のみならず、この食事用エプロン１００の使用者が液状の食物をテーブルクロス部１３０上にこぼしても、その液状の食物が、食卓上にこぼれ出ることを防止するための堰の役割も果たすことになる。
すなわち、前記パイピング部１５０は、食事用エプロン１００の生地の端を表裏にわたり防水性のある生地により覆っているため、その断面が生地より厚く形成されている。具体的には、その断面においては、食事用エプロン１００の生地に比べ、パイピング部１５０を構成する生地の分だけ表裏方向に厚くなっている。この厚みが堰となり、使用者がこぼした液状の食物等は、食卓上にこぼれ出ないようになっている。
【００４０】
本実施に形態に係る食事用エプロン１００は以上のように構成されているが、その使用方法等を以下に説明する。
先ず、使用者である乳幼児の母親等が、食事用エプロン１００の装着部１１０のマジックテープ１２１を開の状態にして、装着部１１０の穴部に乳幼児の首を入れ、乳幼児の首周りに装着部１１０が配置されるようにする。
このとき、装着部１１０のテープ状部材１１１が若干伸びるようにして、２個のマジックテープ１１２、１１２を重ねて固定する。これによって、装着部１１０の穴部は乳幼児の首周りに正確に配置されるので、装着された乳幼児に違和感を与えることなく食事用エプロン１００を取り付けることができる。
【００４１】
次に、食事用エプロン１００のテーブルクロス部１３０をテーブル１４０上に配置する。このとき、食器等がテーブルクロス部１３０上に置かれていないときは、テーブルクロス部１３０の裏面側（テーブル１４０側）に設けられたアクリル発泡層は、未だ変形していないため、適度の摩擦力は生じているが、乳幼児が体を強く動かした場合等は、テーブルクロス部１３０がテーブル１４０上を滑り、乳幼児に無理な力が加わらないようになっている。
したがって、乳幼児は、母親等が食事を持ってくるまでは、比較的自由な状態で遊びながら食事を待つことができる。
【００４２】
その後、母親等が食事を作り、この食事を入れる食器をトレイに載せテーブル１４０まで運んでくることになる。そして、この食器等が置かれているトレイを食事用エプロン１００のテーブルクロス部１３０の上に置くことになる。
このとき、テーブルクロス部１３０の裏面側（テーブル１４０側）に設けられたアクリル発泡層が、トレイ等の荷重で変形し、大きな摩擦力を発生させることになる。
このため、食事用エプロン１００を着用している乳幼児が食事中に動いても、テーブルクロス部１３０がテーブル１４０上を滑り、トレイごとテーブル１４０から落下してしまうようなことはない。
【００４３】
この状態で、母親等は食器等から食事を乳幼児に与えるのであるが、例えばスプーン等でスープ等の液状の食物を与える場合、乳幼児が動いてスープがスプーンよりこぼれてしまうことがある。この場合でも、こぼれたスープはエプロン部１２０の表面に当たって、袋部１２２に留まる構造となっているため、スープが床にこぼれてしまうことはない。
また、エプロン部１２０へ向かわずテーブルクロス部１３０上に広がっていくスープは、テーブルクロス部１３０の周縁部に設けられているパイピング部１５０で堰き止められ、テーブル１４０上にこぼれ出すことはない。さらに、エプロン部１２０等はその表面が強撥水加工されているため、スープが食事用エプロン１００にしみ込んで、乳幼児の着衣を汚すことがない構造となっている。
【００４４】
このようにスープ等がしみ込まず、且つ床に落下しない構成になっているうえに、食事用エプロン１００の表面は、上述のように手触りが柔らかくなるように構成されているため、着用している乳幼児に不快感を与えることなく食事が終了するまで、この食事用エプロン１００を着用させ続けることができる。
【００４５】
（第２の実施の形態）
図５及び図６は、本発明の第２の実施の形態にかかるテーブルクロス機能付き食事用エプロン２００（以下、「食事用エプロン」とする。）を示す図である。本実施の形態に係る食事用エプロン２００の構成は、上述の第１の実施の形態に係る食事用エプロン１００と略同様であるため、相違点を中心に説明し、共通点は同一の符号を付する等して説明を省略する。
【００４６】
本実施の形態では、図５に示すように食事用エプロン２００のテーブルクロス部２３０の端部にはバリア部である壁２３１が設けられている。このようにテーブルクロス部２３０の３方を取り囲むように壁２３１を設けることで、使用者である乳幼児がスープ等を食器等からこぼしても、こぼれたスープ等の液状の食物等がテーブルクロス部２３０の表面からテーブル１４０の表面にこぼれ出すことなく、この壁２３１で堰き止められることになる。
特にこの壁２３１は、第１の実施の形態のパイピング部１５０より高く設けられているため、乳幼児が大量のスープをこぼしてもテーブル１４０にこぼれ出すおそれはない。したがって、テーブル１４０を汚すことなく乳幼児に食事をとらせることができる。
【００４７】
このような壁２３１は、以下のようにして形成される。例えば、テーブルクロス部２３０の周縁部の長さよりも若干短めのパイピング部用生地を、このテーブルクロス部２３０の周縁部に配置することで、テーブルクロス部２３０の周縁部は起立し、壁２３１が形成されることになる。
また、これ以外にも、例えば図５に示すように、テーブルクロス部２３０の角部２３０ａを２箇所折って縫い合わせることでも、壁２３１を形成することができる。
【００４８】
また、本実施の形態では、図６に示すように食事用エプロン２００のテーブルクロス部２３０の幅、図において左右方向が、コールゴム部１２１より先で、エプロン部１２０の幅よりも広く形成されている。
したがって、第１の実施の形態と異なり、図６に示すように、大きめのトレイ等をテーブルクロス部２３０の上にはみ出すことなく載置することができる。このため、上述の壁２３１の内側に大きめのトレイ等を置くことができ、例え大きめのトレイ等を用いた場合で、スープ等を食器等からこぼしても、壁２３１によって外側にこぼれだすのを防ぐことができる。
【００４９】
また、テーブルクロス部２３０が幅広で、テーブル１４０の上面に当接する面積が第１の実施の形態のテーブルクロス部１３０より大きいため、このテーブルクロス部２３０の裏面に設けられているアクリル発泡樹脂もより広く配置されている。したがって、滑り止めの効果を発揮する摩擦力も全体として大となり、よりテーブル１４０上を滑らない食事用エプロン２００とすることができる。
【００５０】
（第３の実施の形態）
図７は、本発明の第３の実施の形態にかかるテーブルクロス機能付き食事用エプロン３００（以下、「食事用エプロン」とする。）を示す図である。本実施の形態に係る食事用エプロン３００の構成は、上述の第１の実施の形態に係る食事用エプロン１００と略同様であるため、相違点を中心に説明し、共通点は同一の符号を付する等して説明を省略する。
【００５１】
本実施の形態に係る食事用エプロン３００のテーブルクロス部３３０は、上述の第１の実施の形態のテーブルクロス部１３０より図７に示すように幅広に形成されている。
したがって、本実施の形態のテーブルクロス部１３０は、テーブル１４０の表面をより広い範囲で覆うことができる。このため、テーブルクロス使用者である乳幼児がスープ等を食器等からこぼしても、テーブルクロス部３３０は、より広い範囲でテーブル１４０の表面にスープ等がこぼれるのを防止することができる。
【００５２】
また、本実施の形態の食事用エプロン３００のテーブルクロス部３３０の表面及び裏面には、図７に示すようにアクリル樹脂製の凸状の突起部３３１が複数個配置されている。また、この突起部３３１はテーブルクロス部３３０の表面及び裏面の全面にわたって形成されていると共に、これら突起部３３１間は、相互に一定の間隔を保持して配置されている。
このように配置されている突起部３３１の形成状態を拡大して示したのが図８である。図８に示すように、この突起部３３１は、テーブルクロス部３３０のポリエステル生地の表面及び裏面に配置されている。
【００５３】
このように複数の突起部３３１がテーブルクロス部３３０の表面の全面にわたって形成されているので、図７に示すようにテーブルクロス部３３０の表面に食器等を置いても、これらの食器等がテーブルクロス部３３０の表面で滑ることがなく、乳幼児が安心して食事を摂ることができる。
具体的には、図９に示すように乳幼児が右手でスプーンを持ち、左手で皿を押さえない状態で、スプーンで皿内の食物を食べようとしても、前記突起部３３１によって皿等は滑りにくくなっている。したがって、乳幼児はスプーンで皿内の食物をすくいやすくなる。
また、図８に示すように、上述の突起部３３１はテーブルクロス部３３０の裏面側にも同様に配置されている。したがって、上述の第１の実施の形態のテーブルクロス部１３０より、よりテーブル１４０の表面で滑りにくくなっている。
このように、本実施の形態では、テーブルクロス部３３０の裏面に突起部３３１が配置されているため，テーブル１４０の表面で滑り難くなると共に、テーブルクロス部３３０の表面にも突起部３３１が形成されている。したがって、本実施の形態の食事用エプロン３００を使用する乳幼児は、テーブルクロス部３３０上の皿等の食器を取り扱い易くなり、これにより食器内の食物をこぼし難くなる。
また、表面の滑り止めを突起状とすることで、こぼれた液体が適宜テーブルクロス部３３０の突起部以外の場所に吸収されるため、表面を伝わって液体がテーブル１４０を汚すことを防ぐことができる。
【００５４】
（第３の実施の形態の第１の変形例）
図１０は、図７の第３の実施の形態に係る食事用エプロン３００の第１の変形例の要部を示す図である。本変形例に係る食事用エプロンの構成は、上述の第３の実施の形態に係る食事用エプロン３００と略同様であるため、相違点を中心に説明し、共通点は同一の符号を付する等して説明を省略する。
図１０は、本変形例に係る食事用エプロンのテーブルクロス部３３０の部分拡大断面図である。図１０に示すように、本変形例では、アクリル樹脂製の突起部３３１が、テーブルクロス部４３０の表面にのみ配置され、裏面には配置されない構成となっている。
したがって、第３の実施の形態のエプロン３００より、製造コストを減少させることができる。
【００５５】
（第３の実施の形態の第２の変形例）
図１１は、図７の第３の実施の形態に係る食事用エプロン３００の第２の変形例に係る食事用エプロン５００を示す概略図である。本変形例に係る食事用エプロン５００の構成は、上述の第３の実施の形態に係る食事用エプロン３００と略同様であるため、相違点を中心に説明し、共通点は同一の符号を付する等して説明を省略する。
本変形例に係る食事用エプロン５００は、第３の実施の形態の食事用エプロン３００とテーブルクロス部５３０が大きく相違する。
すなわち、本変形例では、テーブルクロス部５３０の表面に形成されたアクリル樹脂製の突起部３３１の配置状態が、第３の実施の形態と異なる。具体的には、図１１に示すように複数の突起部３３１は、テーブルクロス部５３０の中心部分にのみ配置されている。この部分は乳幼児が食器等を配置する領域である。
【００５６】
したがって、本変形例では、食器等がテーブルクロス部５３０の表面で滑らないように配置されている突起部３３１は、必要な部分にのみ配置され、不必要な部分には配置されていない。このため、第３の実施の形態に係る食事用エプロン３００より、より効率良く、且つコストダウンを図りながら突起部３３１を形成できるようになっている。
【００５７】
（第３の実施の形態の第３の変形例）
図１２は、図７の第３の実施の形態に係る食事用エプロン３００の第３の変形例に係る食事用エプロン６００を示す概略図である。本変形例に係る食事用エプロン６００の構成は、上述の第３の実施の形態に係る食事用エプロン３００と略同様であるため、相違点を中心に説明し、共通点は同一の符号を付する等して説明を省略する。
【００５８】
本変形例に係る食事用エプロン５００は、第３の実施の形態の食事用エプロン３００とテーブルクロス部６３０が大きく相違する。
すなわち、本変形例では、テーブルクロス部６３０の表面に形成されたアクリル樹脂製の突起部３３１の配置状態が、第３の実施の形態と異なる。具体的には、図１２に示すように複数の突起部３３１は、テーブルクロス部６３０の中心部から放射線状にのみ配置され、全面には配置されていない。
したがって、全面に突起部３３１を形成する場合に比べ、コストダウンを図ることができる。
【００５９】
ところで本発明は上述の各実施形態に限定されない。また、前記各実施の形態の各構成は、その一部を省略したり、上述していない他の任意の組み合わせに変更することができる。
【符号の説明】
【００６０】
１００，２００・・・テーブルクロス機能付き食事用エプロン、 １１０・・・装着部、１１１・・・テープ状部材、１１２・・・マジックテープ、１２０・・・エプロン部、１２１・・・コールゴム部、１２２・・・袋部、１３０・・・テーブルクロス部
【図１】
2010031452.tif 000003
【図２】
2010031452.tif 000004
【図３】
2010031452.tif 000005
【図４】
2010031452.tif 000006
【図５】
2010031452.tif 000007
【図６】
2010031452.tif 000008
【図７】
2010031452.tif 000009
【図８】
2010031452.tif 000010
【図９】
2010031452.tif 000011
【図１０】
2010031452.tif 000012
【図１１】
2010031452.tif 000013
【図１２】
2010031452.tif 000014
【図１３】
2010031452.tif 000015
【手続補正書】
【提出日】平成21年12月8日(2009.12.8)
【手続補正１】
【補正対象書類名】明細書
【補正対象項目名】０００５
【補正方法】変更
【補正の内容】
【０００５】
前記目的は、請求項１の発明によれば、使用者に対して食事用エプロンを取り付けるための装着部と、使用者を汚れから守るための保護部と、食卓上に配置するための食器載置面と、この食器載置面が前記食卓上を容易に移動しないための発泡樹脂による滑り止め面が、前記食器載置面の裏面に設けられ、少なくとも、前記保護部の表面側には、強撥水加工が施され、前記保護部の裏面側には、前記表面側と比べ弱い撥水加工による撥水層が施され、前記撥水層に隣接して前記滑り止め面が設けられていることを特徴とする食事用エプロンにより、達成される。
前記構成によれば、前記食事用エプロンには、前記食器載置面と、前記食卓上を容易に移動しないための滑り止め面が前記食器載置面の裏面に設けられているため、この食器載置面が前記食卓上を滑るのを未然に防止することができる。
【手続補正２】
【補正対象書類名】明細書
【補正対象項目名】０００６
【補正方法】変更
【補正の内容】
【０００６】
前記構成によれば、前記滑り止め面が発泡樹脂により形成されているので、この発泡樹脂の弾力性により前記滑り止め面の摩擦力が大となる。
特に、前記食器載置面の裏面に前記滑り止め面が設けられているので、この食器載置面上に載置される食器等の重みで，前記発泡樹脂が前記食卓上に押し付けられるので、より摩擦力が大きくなり、前記食器載置面の前記食卓上の滑りをさらに有効に防止することができる。
一方、前記食器載置面上に食器等が載置されない場合は、前記発泡樹脂が前記食卓上に押し付けられないので、摩擦力が比較的小さくなり、この食器載置面が食卓上をある程度は移動可能な状態となる。したがって、この食器載置面が食卓上に張り付いて使用者の動作を拘束することはなくなる。
また、前記発泡樹脂が変形すると、クッション効果で食器等の破損も未然に防ぐことができる。
【手続補正３】
【補正対象書類名】明細書
【補正対象項目名】０００７
【補正方法】変更
【補正の内容】
【０００７】
好ましくは、請求項２の発明によれば、請求項１の構成において、強撥水加工が前記装着部及び／又は前記食器載置面の表面に施されている食事用エプロンである。
好ましくは、請求項３の発明によれば、請求項１又は請求項２の構成において、前記発泡樹脂がアクリル発泡樹脂又はウレタン発泡樹脂により形成されている食事用エプロンである。
前記構成によれば、前記発泡樹脂がアクリル発泡樹脂又はウレタン発泡樹脂により形成されているので、このアクリル発泡樹脂又はウレタン発泡樹脂の変形によって摩擦力を有効に生じさせることができる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
好ましくは、請求項４の発明によれば、請求項１乃至請求項３のいずれかの構成において、前記食器載置面及び前記保護部が撥水加工された生地より形成されている食事用エプロンである。
前記構成によれば、前記食器載置面及び前記保護部が撥水加工された生地より形成されているので、これら食器載置面や保護部に例えば液状の食物等がこぼれても、液状の食物等が食事用エプロンの生地に染み込むことがない。
【手続補正６】
【補正対象書類名】明細書
【補正対象項目名】００１０
【補正方法】変更
【補正の内容】
【００１０】
好ましくは、請求項５の発明によれば、請求項４の構成において、前記生地が細い糸を密度濃く織ってあると共に、縦糸と横糸の数が略同数程度に織ってある食事用エプロンである。
前記構成によれば、前記生地が細い糸を密度濃く織ってあるので、使用者に対して柔らかい手触りをもたらすようになっている。また、前記生地の縦糸と横糸の数が略同数程度に織ってあるので、例えば織り目の間から発泡樹脂がこの生地側に染み込むのを防ぐことができる。
【手続補正７】
【補正対象書類名】明細書
【補正対象項目名】００１１
【補正方法】変更
【補正の内容】
【００１１】
好ましくは、請求項６の発明によれば、請求項４又は請求項５のいずれかの構成において、前記生地がナイロン織、ポリエステル織又は綿織のいずれかの一つの織により成る平織若しくは編物より成る食事用エプロンである。
前記構成によれば、前記生地がナイロン織、ポリエステル織又は綿織のいずれかの一つの織により成る平織若しくは編物により前記生地を形成することができる。
【手続補正８】
【補正対象書類名】明細書
【補正対象項目名】００１２
【補正方法】変更
【補正の内容】
【００１２】
好ましくは、請求項７の発明によれば、請求項１乃至請求項６のいずれかの構成において、前記食器載置面と前記保護部との境界部若しくはその近傍に凹状収容部が形成されている食事用エプロンである。
前記構成によれば、前記食器載置面と前記保護部との境界部若しくはその近傍に凹状収容部が形成されているので、使用者の食べこぼし等を食事用エプロンの外側に落下させることなく、この凹状収容部内に保持させることができる。
【手続補正９】
【補正対象書類名】明細書
【補正対象項目名】００１３
【補正方法】変更
【補正の内容】
【００１３】
好ましくは、請求項８の発明によれば、請求項７の構成において、前記凹状収容部が、前記保護部の前記境界部若しくはその近傍側縁に設けられた収縮部によって形成され、前記収縮部が弾性体により成る食事用エプロンである。
前記構成によれば、前記凹状収容部が、前記保護部の前記境界部若しくはその近傍側縁に設けられた収縮部によって形成されているので、この凹状収容部を容易に形成することができる。
【手続補正１０】
【補正対象書類名】明細書
【補正対象項目名】００１４
【補正方法】変更
【補正の内容】
【００１４】
前記構成によれば、前記収縮部が弾性体により成るので、この収縮部を容易に形成することができる。
【手続補正１１】
【補正対象書類名】明細書
【補正対象項目名】００１５
【補正方法】変更
【補正の内容】
【００１５】
好ましくは、請求項９の発明によれば、請求項１乃至請求項８のいずれかの構成において、前記食器載置面が前記保護面より幅広に形成されている食事用エプロンである。
前記構成によれば、前記食器載置面が前記保護面より幅広に形成されているので、この食器載置面に大きな例えばトレー等を載置することができる。また、前記食器載置面の裏面に滑り止め面が設けられているので、この食器載置面の大きさに比例して滑り止め効果がより大になる。
【手続補正１２】
【補正対象書類名】明細書
【補正対象項目名】００１６
【補正方法】変更
【補正の内容】
【００１６】
好ましくは、請求項１０の発明によれば、請求項１乃至請求項９のいずれかの構成において、前記食器載置面の周縁部には、この食器載置面の内側と外側を区別するバリア部が設けられ、前記バリア部が、前記食器載置面の周縁部に設けられたパイピング部により構成され、前記食器載置面の周縁部が前記パイピング部により起立させられて形成されている食事用エプロンである。
前記構成によれば、前記食器載置面の周縁部には、この食器載置面の内側と外側を区別するバリア部が設けられているので、使用者が例えば液状の食物等をこぼした場合にも、液状の食物等がこのバリア部の内側に止まることになる。したがって、液状の食物等が食事用エプロンの外側に出るのを防止することができる。
【手続補正１３】
【補正対象書類名】明細書
【補正対象項目名】００１７
【補正方法】変更
【補正の内容】
【００１７】
前記構成によれば、前記食器載置面の周縁部にパイピング部を設けることにより前記バリア部が形成されるので、このバリア部を容易に形成することができる。
【手続補正１４】
【補正対象書類名】明細書
【補正対象項目名】００１８
【補正方法】変更
【補正の内容】
【００１８】
前記構成によれば、前記バリア部は、前記食器載置面の周縁部が前記パイピング部により起立させられて形成されるので、使用者が例えば液状の食物等を大量に、こぼした場合にも、液状の食物等がこのバリア部の内側に止まることになる。したがって、液状の食物等が食事用エプロンの外側に出るのをより防止することができる。
【手続補正１５】
【補正対象書類名】明細書
【補正対象項目名】００１９
【補正方法】変更
【補正の内容】
【００１９】
好ましくは、請求項１１の発明によれば、請求項１乃至請求項１０のいずれかの構成において、前記装着部には、使用者の首周りに対応した略円形の開口部が設けられていると共に、この開口部の使用者側には伸縮性のあるテープ状部材が配置されている食事用エプロンである。
前記構成によれば、前記装着部には、使用者の首周りに対応した略円形の開口部が設けられていると共に、この開口部の使用者側には伸縮性のあるテープ状部材が配置されているので、使用者各人の首周りの大きさに応じて適切な前記開口部を形成することができる。
【手続補正１６】
【補正対象書類名】明細書
【補正対象項目名】００２０
【補正方法】変更
【補正の内容】
【００２０】
好ましくは、請求項１２の発明によれば、請求項１乃至請求項１１のいずれかの構成において、前記食器載置面の表面に、食器が載置面上を容易に移動しないための滑り止め面が設けられていることを特徴とする食事用エプロンである。
前記構成によれば、前記食器載置面の表面に前記滑り止め面が設けられているので、前記食器が食器載置面から滑り落ちることを未然に防ぐことができる。また、使用者が例えばスプーン等の食具を持つ手と逆の手で、食器を保持することができない場合において、スプーン等の動きにより食器が動いてしまうことを防ぐこともできるので、使用者は、容易に食品を食べることができる。
【手続補正１７】
【補正対象書類名】明細書
【補正対象項目名】００２１
【補正方法】変更
【補正の内容】
【００２１】
好ましくは、請求項１３の発明によれば、請求項１乃至請求項１２のいずれかの構成において、前記食器載置面の表面及び／又は裏面の少なくとも一部に滑り止めとして凸状の突起部が複数配置されていることを特徴とする食事用エプロンである。
前記構成によれば、前記食器載置面の表面及び／又は裏面の少なくとも一部に滑り止めとして凸状の突起部が複数配置されているので、食器等を載置した場合に食器等が食器載置面上で滑るのを未然に防止することができる。また、この食器載置面の裏面に突起部を配置した場合は、食器載置面が前記食卓上を滑るのをより有効に防止することができる。
さらに、前記突起部を前記食器載置面の一部、すなわち実際に食器等を載置する部分にのみ配置した場合は、より無駄なく効率よく突起部を配置できることになる。
【手続補正１８】
【補正対象書類名】明細書
【補正対象項目名】００２２
【補正方法】変更
【補正の内容】
【００２２】
好ましくは、請求項１４の発明によれば、請求項１３の構成において、前記突起部がアクリル樹脂又はウレタン樹脂により形成されていることを特徴とする食事用エプロンである。
【手続補正１９】
【補正対象書類名】特許請求の範囲
【補正対象項目名】全文
【補正方法】変更
【補正の内容】
【特許請求の範囲】
【請求項１】
使用者に対して食事用エプロンを取り付けるための装着部と、
使用者を汚れから守るための保護部と、
食卓上に配置するための食器載置面と、
この食器載置面が前記食卓上を容易に移動しないための発泡樹脂による滑り止め面が、前記食器載置面の裏面に設けられ、
少なくとも、前記保護部の表面側には、強撥水加工が施され、
前記保護部の裏面側には、前記表面側と比べ弱い撥水加工による撥水層が施され、
前記撥水層に隣接して前記滑り止め面が設けられていることを特徴とする食事用エプロン。
【請求項２】
強撥水加工が前記装着部及び／又は前記食器載置面の表面に施されていることを特徴とする請求項１に記載の食事用エプロン。
【請求項３】
前記発泡樹脂がアクリル発泡樹脂又はウレタン発泡樹脂により形成されていることを特徴とする請求項１又は請求項２に記載の食事用エプロン。
【請求項４】
前記食器載置面及び前記保護部が撥水加工された生地より形成されていることを特徴とする請求項１乃至請求項３のいずれかに記載の食事用エプロン。
【請求項５】
前記生地が細い糸を密度濃く織ってあると共に、縦糸と横糸の数が略同数程度に織ってあることを特徴とする請求項４に記載の食事用エプロン。
【請求項６】
前記生地がナイロン織、ポリエステル織又は綿織のいずれかの一つの織により成る平織若しくは編物より成ることを特徴とする請求項４又は請求項５に記載の食事用エプロン。
【請求項７】
前記食器載置面と前記保護部との境界部若しくはその近傍に凹状収容部が形成されていることを特徴とする請求項１乃至請求項６のいずれかに記載の食事用エプロン。
【請求項８】
前記凹状収容部が、前記保護部の前記境界部若しくはその近傍側縁に設けられた収縮部によって形成され、前記収縮部が弾性体により成ることを特徴とする請求項７に記載の食事用エプロン。
【請求項９】
前記食器載置面が前記保護面より幅広に形成されていることを特徴とする請求項１乃至請求項８のいずれかに記載の食事用エプロン。
【請求項１０】
前記食器載置面の周縁部には、この食器載置面の内側と外側を区別するバリア部が設けられ、前記バリア部が、前記食器載置面の周縁部に設けられたパイピング部により構成され、前記食器載置面の周縁部が前記パイピング部により起立させられて形成されていることを特徴とする請求項１乃至請求項９に記載の食事用エプロン。
【請求項１１】
前記装着部には、使用者の首周りに対応した略円形の開口部が設けられていると共に、この開口部の使用者側には伸縮性のあるテープ状部材が配置されていることを特徴とする請求項１乃至請求項１０のいずれかに記載の食事用エプロン。
【請求項１２】
前記食器載置面の表面に、食器が載置面上を容易に移動しないための滑り止め面が設けられていることを特徴とする請求項１乃至請求項１１のいずれかに記載の食事用エプロン。
【請求項１３】
前記食器載置面の表面及び／又は裏面の少なくとも一部に滑り止めとして凸状の突起部が複数配置されていることを特徴とする請求項１乃至請求項１２のいずれかに記載の食事用エプロン。
【請求項１４】
前記突起部がアクリル樹脂又はウレタン樹脂により形成されていることを特徴とする請求項１３に記載の食事用エプロン。